(57)【特許請求の範囲】
【請求項１】
床体と、
この床体を支持する柱体と、
前記床体から立ち上がるように設けられた壁体とを備え、
前記柱体は、
前記床体よりも上方に位置する上側柱部および前記床体よりも下方に位置する下側柱部を有する柱部材と、
前記上側柱部に取り付けられ、上下方向長手状の鉛直板部を有する柱下地材と、
前記下側柱部を覆う柱用サイディング部材とを有し、
前記壁体は、
上下方向長手状の複数の縦長下地材と、
少なくとも前記柱下地材によってシーリング受け部材およびシーリング材を介して支持され、前記柱体よりも外側位置に位置する壁用サイディング部材とを有し、
前記柱下地材は、前記柱部材の両側方に位置した前記縦長下地材間に配設され、
前記壁用サイディング部材は、前記縦長下地材の外側の面にスペーサを介して取り付けられ、
前記シーリング受け部材は、前記柱下地材の前記鉛直板部に取り付けられ、
前記シーリング材は、前記壁用サイディング部材を構成する互いに隣接したサイディング材の各隣接端部間に充填され、前記シーリング受け部材によって支持されている
ことを特徴とする建物付設物。
【請求項２】
スペーサは、壁体における上横長下地材の水平板部よりも下方に位置している
ことを特徴とする請求項１記載の建物付設物。
【請求項３】
上横長下地材の水平板部に上板サイディング部材が取り付けられている
ことを特徴とする請求項２記載の建物付設物。
【請求項４】
コーナー柱用の柱下地材の鉛直板部は、その幅方向中央部で直角に折り曲げられている
ことを特徴とする請求項１ないし３のいずれか一記載の建物付設物。
【請求項５】
柱下地材は突出板部を有し、この突出板部が柱部材の上側柱部に取り付けられている
ことを特徴とする請求項１ないし４のいずれか一記載の建物付設物。
【請求項６】
柱体は、柱下地材の突出板部を柱部材の上側柱部に固定的に取り付けるための固定部材を有し、
前記柱下地材は、前記固定部材を通すための通し孔部を有し、
前記通し孔部は、前記柱下地材の鉛直板部の複数箇所に形成されている
ことを特徴とする請求項５記載の建物付設物。
【発明の詳細な説明】
【技術分野】
【０００１】
本発明は、効率良く施工できる建物付設物に関するものである。
【背景技術】
【０００２】
従来、例えば特許文献１に記載された屋外鉄骨階段廊下ユニット等の建物付設物が知られている。
【０００３】
この従来の建物付設物は、建物の外壁に水平状に突設された床体と、この床体を支持する柱体と、床体の端部から立ち上がるように設けられた手摺腰壁部である壁体とを備えている。
【先行技術文献】
【特許文献】
【０００４】
【特許文献１】特開２００４−２６３４６３号公報（図１、図２等）
【発明の概要】
【発明が解決しようとする課題】
【０００５】
そして、この種の建物付設物においては、例えば建物の外壁に合わせて柱体および壁体をサイディング仕様にする場合があり、近年ではそのような場合であっても効率良く施工できる建物付設物が求められていた。
【０００６】
本発明は、このような点に鑑みなされたもので、効率良く施工できる建物付設物を提供することを目的とする。
【課題を解決するための手段】
【０００７】
請求項１記載の建物付設物は、床体と、この床体を支持する柱体と、前記床体から立ち上がるように設けられた壁体とを備え、前記柱体は、前記床体よりも上方に位置する上側柱部および前記床体よりも下方に位置する下側柱部を有する柱部材と、前記上側柱部に取り付けられ、上下方向長手状の鉛直板部を有する柱下地材と、前記下側柱部を覆う柱用サイディング部材とを有し、前記壁体は、上下方向長手状の複数の縦長下地材と、少なくとも前記柱下地材によってシーリング受け部材およびシーリング材を介して支持され、前記柱体よりも外側位置に位置する壁用サイディング部材とを有し、前記柱下地材は、前記柱部材の両側方に位置した前記縦長下地材間に配設され、前記壁用サイディング部材は、前記縦長下地材の外側の面にスペーサを介して取り付けられ、前記シーリング受け部材は、前記柱下地材の前記鉛直板部に取り付けられ、前記シーリング材は、前記壁用サイディング部材を構成する互いに隣接したサイディング材の各隣接端部間に充填され、前記シーリング受け部材によって支持されているものである。
【０００８】
請求項２記載の建物付設物は、請求項１記載の建物付設物において、スペーサは、壁体における上横長下地材の水平板部よりも下方に位置しているものである。
【０００９】
請求項３記載の建物付設物は、請求項２記載の建物付設物において、上横長下地材の水平板部に上板サイディング部材が取り付けられているものである。
【００１０】
請求項４記載の建物付設物は、請求項１ないし３のいずれか一記載の建物付設物において、コーナー柱用の柱下地材の鉛直板部は、その幅方向中央部で直角に折り曲げられているものである。
【００１１】
請求項５記載の建物付設物は、請求項１ないし４のいずれか一記載の建物付設物において、柱下地材は突出板部を有し、この突出板部が柱部材の上側柱部に取り付けられているものである。
【００１２】
請求項６記載の建物付設物は、請求項５記載の建物付設物において、柱体は、柱下地材の突出板部を柱部材の上側柱部に固定的に取り付けるための固定部材を有し、前記柱下地材は、前記固定部材を通すための通し孔部を有し、前記通し孔部は、前記柱下地材の鉛直板部の複数箇所に形成されているものである。
【発明の効果】
【００１３】
本発明によれば、柱体および壁体をサイディング仕様にする場合であっても、効率良く施工できる。
【図面の簡単な説明】
【００１４】
【図１】本発明の一実施の形態に係る建物付設物の斜視図である。
【図２】同上建物付設物の平面視の軸組図である。
【図３】同上建物付設物の断面図である。
【図４】（ａ）は壁体の断面図、（ｂ）は柱体の断面図である。
【図５】同上建物付設物の部分断面図である。
【図６】同上建物付設物の部分平面図である。
【図７】同上建物付設物の正面視の軸組図である。
【図８】同上建物付設物の要部正面図である。
【図９】同上建物付設物の要部断面図である。
【図１０】同上建物付設物の要部断面図である。
【図１１】本発明の他の実施の形態に係る建物付設物の要部断面図である。
【発明を実施するための形態】
【００１５】
本発明の一実施の形態について図面を参照して説明する。
【００１６】
図中の１は建物付設物で、この建物付設物１は、例えば戸建住宅や集合住宅等の建物２の外面に付設された屋外鉄骨階段廊下ユニットである。
【００１７】
建物付設物１は、図１ないし図４等に示されるように、建物２の外壁３の所定高さ位置、すなわち例えば建物２の２階の床と略同じ高さ位置に前方に向かって突設された水平状の床体４を備えている。
【００１８】
また、建物付設物１は、床体４を支持する複数本の柱体５と、床体４の３辺の端部、つまり左端部、右端部および前端部から立ち上がるように設けられた手摺腰壁部である壁体６と、床体４に連設された階段体７とを備えている。そして、柱体５、壁体６および階段体７は、例えば建物の外壁に合わせてサイディング仕様となっており、サイディング張りが施されている。
【００１９】
床体４は、建物２の外壁３に取り付けられた打付材11と、柱体５に取り付けられた桁材12と、これら打付材11および桁材12間に架設された根太材13と、この根太材13に取り付けられた床材14とを有している。なお、床体４の下面は、天井張り材15にて覆い隠されている。
【００２０】
柱体５は、図３、図４（ａ）および（ｂ）等に示されるように、上下方向長手状（縦長状）で断面正方形状の柱ベース部材である柱部材21と、この柱部材21の外周面全体を覆う上下方向長手状の４角筒状で断面正方形状の柱用サイディング部材22とを有している。柱部材21は、建物２の１階の基礎部23に立設されている（図１参照）。柱用サイディング部材22は、例えば断面略Ｌ字状をなす４つのサイディング材24にて構成されている。互いに隣り合うサイディング材24間の間隙には、シーリング材25が充填されている（図４（ｂ）参照）。
【００２１】
なお、柱部材21の幅寸法（前後方向長さ寸法）Ａは例えば７５ｍｍであり、柱体５の幅寸法（前後方向長さ寸法）Ｂは例えば１３５ｍｍである。
【００２２】
壁体６は、図３ないし図６等に示されるように、水平方向長手状である左右方向長手状（横長状）で下方に向かって開口する断面略コ字状のサイディング下地材としての横長下地材である上横長下地材（上胴縁）31と、水平方向長手状である左右方向長手状（横長状）で上方に向かって開口する断面略コ字状のサイディング下地材としての横長下地材である下横長下地材（下胴縁）32とを有している。上横長下地材31と下横長下地材32とは、上下に互いに離間対向して平行状に配設されている。
【００２３】
また、壁体６は、上下方向長手状（縦長状）で側方に向かって開口する断面略コ字状のサイディング下地材としての縦長下地材（縦胴縁）33を複数有している。つまり、互いに離間対向する対をなす上横長下地材31および下横長下地材32間に、複数本の縦長下地材33が左右方向に互いに間隔をおいて架設されている。縦長下地材33は、桁材12および柱部材21の少なくともいずれか一方に固定的に取り付けられている。換言すると、縦長下地材33は、床体４および柱体５の少なくともいずれか一方に対して固定されている。
【００２４】
そして、所定位置に固定された縦長下地材33の上端部には上横長下地材31が取付部材（取付金具）35によって固定的に取り付けられ、かつ、所定位置に固定された縦長下地材33の下端部には下横長下地材32が取付部材（取付金具）35によって固定的に取り付けられている。
【００２５】
さらに、壁体６は、縦長下地材33の外側の面である前面（建物側とは反対側の面）にスペーサ63およびサイディング保持部材68を介して固定的に取り付けられ、柱用サイディング部材22と干渉しないように柱体５よりも外側位置である前側位置に位置する鉛直状の壁用サイディング部材である外側壁用サイディング部材36と、縦長下地材33の内側の面である後面（建物側の面）にスペーサ73およびサイディング保持部材78を介して固定的に取り付けられ、床材14の前端部に立設された鉛直状の壁用サイディング部材である内側壁用サイディング部材37と、上横長下地材31の上面に固定的に取り付けられ、両サイディング部材36，37の上端部間に架設された水平状の上板サイディング部材38とを有している。つまり、これら外側壁用サイディング部材36、内側壁用サイディング部材37および上板サイディング部材38によって、サイディング下地材31，32，33が覆い隠されている。
【００２６】
外側壁用サイディング部材36の下端部後面には天井張り材15の前端面が当接し、外側壁用サイディング部材36の下端36aがその天井張り材15よりも下方に位置している。そして、外側壁用サイディング部材36の下端36aと柱用サイディング部材22の上端部前面（外面）との間には、若干の隙間40が存在している。
【００２７】
なお、内側壁用サイディング部材37の下端面と床材14の前端部上面との間の間隙にはシーリング材41が充填されている。内側壁用サイディング部材37の上端面と上板サイディング部材38の後端部下面（内側端部下面）との間の間隙にはシーリング材42が充填されている。外側壁用サイディング部材36の上端面と上板サイディング部材38の前端部下面（外側端部下面）との間の間隙にはシーリング材43が充填されている。また、上板サイディング部材38には、手摺用の笠木44が取り付けられている。
【００２８】
ここで、図４（ａ）、図５および図６等に示されるように、上横長下地材31は、左右方向長手状の水平板部46と、この水平板部46の前後方向両端部である幅方向両端部から下方に向かって突出し互いに離間対向する１対の鉛直板部47と、この各鉛直板部47の下端部から内方に向かって水平状に突出する突出板部48とを有し、これら両突出板部48間に開口部49が形成されている。
【００２９】
下横長下地材32は、左右方向長手状の水平板部51と、この水平板部51の前後方向両端部である幅方向両端部から上方に向かって突出し互いに離間対向する１対の鉛直板部52と、この各鉛直板部52の上端部から内方に向かって水平状に突出する突出板部53とを有し、これら両突出板部53間に開口部54が形成されている。なお、上横長下地材31と下横長下地材32とは同じ形状である。
【００３０】
縦長下地材33は、上下方向長手状で矩形状の鉛直板部56と、この鉛直板部56の前後方向両端部である幅方向両端部から側方に向かって突出し互いに離間対向する１対の対向鉛直板部57と、この各対向鉛直板部57の側端部から内方に向かって突出する突出板部58とを有し、これら両突出板部58間に開口部59が形成されている。
【００３１】
そして、縦長下地材33の幅寸法ｂが横長下地材31，32の幅寸法ａよりも大きくなっており、横長下地材31，32の幅寸法ａは例えば７５ｍｍであり、縦長下地材33の幅寸法ｂは例えば１００ｍｍである。なお、横長下地材31，32の幅寸法ａと柱部材21の幅寸法Ａとが同寸法であり、縦長下地材33の幅寸法ｂは柱部材21の幅寸法Ａよりも大きい。
【００３２】
また、縦長下地材33は、後方に向かって開口する断面略コ字状のサイディング取付用凸部61を長手方向両端部である上下方向両端部の外側である前側（建物側とは反対側）に有し、かつ、側面視で矩形状をなす横長下地材挿入用凹部62を長手方向両端部である上下方向両端部の内側である後側（建物側）に有している。つまり、縦長下地材33の上下端部の後側が切り欠かれることによって横長下地材挿入用凹部62が形成されている。
【００３３】
そして、外側壁用サイディング部材36の上端部がスペーサ63のみを介して固定部材（ドリルねじ等）64によって縦長下地材33の上端部のサイディング取付用凸部61に固定的に取り付けられ、外側壁用サイディング部材36の下端部がスペーサ63のみを介して固定部材（ドリルねじ等）64によって縦長下地材33の下端部のサイディング取付用凸部61に固定的に取り付けられ、外側壁用サイディング部材36と縦長下地材33の前面との間には空気層65が形成されている。
【００３４】
この外側壁用サイディング部材36は、例えば互いに隣接した状態で上下方向および水平方向に並ぶ板状の複数枚のサイディング材66にて構成されている。このため、最上位のサイディング材66の上端部がスペーサ63のみを介して固定部材64によって上のサイディング取付用凸部61に固定的に取り付けられ、最下位のサイディング材66の下端部がスペーサ63のみを介して固定部材64によって下のサイディング取付用凸部61に固定的に取り付けられている。
【００３５】
互いに上下に隣接するサイディング材66の各隣接端部は、縦長下地材33の上下方向中間部に固定部材（ドリルねじ等）67によって固定的に取り付けられたサイディング保持部材（留め金具等）68にて保持されている。
【００３６】
また、上横長下地材31の一部が縦長下地材33の上端部の横長下地材挿入用凹部62に挿入され、下横長下地材32の一部が縦長下地材33の下端部の横長下地材挿入用凹部62に挿入されている。そして、上横長下地材31の前面が上のサイディング取付用凸部61に当接して位置決めされ、上横長下地材31の後面と縦長下地材33の後面とが同一面上に位置している。同様に、下横長下地材32の前面が下のサイディング取付用凸部61に当接して位置決めされ、下横長下地材32の後面と縦長下地材33の後面とが同一面上に位置している。
【００３７】
なお、図５から明らかなように、上横長下地材31の水平板部46は、横長下地材挿入用凹部62に挿入されておらず、縦長下地材33の上端よりも上方に位置しており、この水平板部46に上板サイディング部材38が固定的に取り付けられている。このため、上板サイディング部材38と縦長下地材33の上端との間には、空気層70が形成されている。
【００３８】
一方、内側壁用サイディング部材37の上端部がスペーサ73のみを介して固定部材（ドリルねじ等）74によって上横長下地材31に固定的に取り付けられ、内側壁用サイディング部材37の下端部がスペーサ73のみを介して固定部材（ドリルねじ等）74によって縦長下地材33の下端部近傍に固定的に取り付けられ、内側壁用サイディング部材37と縦長下地材33の後面との間には空気層75が形成されている。
【００３９】
この内側壁用サイディング部材37は、例えば互いに隣接した状態で上下方向に並ぶ板状の複数枚のサイディング材76にて構成されている。このため、最上位のサイディング材76の上端部がスペーサ73のみを介して固定部材74によって上横長下地材31に固定的に取り付けられ、最下位のサイディング材76の下端部がスペーサ73のみを介して固定部材74によって縦長下地材33の下端部近傍に固定的に取り付けられている。
【００４０】
互いに隣接するサイディング材76の各隣接端部は、縦長下地材33の上下方向中間部に固定部材（ドリルねじ等）77によって固定的に取り付けられたサイディング保持部材（留め金具等）78にて保持されている。
【００４１】
また、図７ないし図１０等に示されるように、各柱体５の柱部材21は、床体４よりも上方に位置する上下方向長手状の上側柱部21aと、床体４よりも下方に位置する上下方向長手状の下側柱部21bとを有している。
【００４２】
そして、図８および図９から明らかなように、床体４の長手方向中間部に位置した中間柱である柱体５は、開口部59が柱部材21側を向いた状態で対をなす縦長下地材33間に配設されている。
【００４３】
縦長下地材33の上端部は、柱部材21の上側柱部21aの上端部の側面に取付部材（取付金具）81によって固定的に取り付けられている。同様に、縦長下地材33の下端部は、柱部材21の下側柱部21bの下端部の側面に取付部材（取付金具）81によって固定的に取り付けられている。
【００４４】
そして、柱部材21の上側柱部21aの外側の面である前面（建物側とは反対側の面）には、上下方向長手状（縦長状）で柱部材21側に向かって開口する断面略コ字状のサイディング下地材としての柱下地材83がその上側柱部21aに沿って取り付けられている。柱下地材83は、例えば複数のドリルねじ等の固定部材84によって、柱部材21の上側柱部21aに固定的に取り付けられている。柱下地材83は、柱部材21の両側方に位置した左右の縦長下地材33間に配設されている。
【００４５】
柱下地材83は、上下方向長手状で矩形状の鉛直板部86と、この鉛直板部86の幅方向両端部から後方（柱部材21側）に向かって突出し互いに離間対向する１対の対向鉛直板部87と、この各対向鉛直板部87の後端部から内方に向かって突出する突出板部88とを有し、これら両突出板部88間に開口部89が形成されている。
【００４６】
鉛直板部86は、縦長下地材33の前側の対向鉛直板部57と同一面上に位置している。対向鉛直板部87は、柱部材21の上側柱部21aの左右の側板部と同一面上に位置している。突出板部88は、固定部材84によって柱部材21の上側柱部21aの前板部に固定的に取り付けられている。また、鉛直板部86の複数箇所、すなわち例えば鉛直板部86の上下端部の両側には、柱下地材83を上側柱部21aに固定的に取り付けるための固定部材84を通すための円形状の通し孔部90が形成されている。この各通し孔部90は、固定部材84よりも大きく形成されている。
【００４７】
そして、壁体６の外側壁用サイディング部材36は、上下方向長手状で断面ハット型のシーリング受け部材91およびシーリング材95を介して中間柱である柱体５の柱下地材83によって支持され、柱体５の柱用サイディング部材22よりも外側位置に位置している。なお、柱用サイディング部材22は柱部材21の下側柱部21bに取り付けられ、この柱用サイディング部材22によって柱部材21の下側柱部21bの外周面全体が覆われている（図３参照）。
【００４８】
シーリング受け部材91は、上下方向長手状で矩形状のシーリング受け板部92と、このシーリング受け板部92の幅方向両端部から後方に向かって突出し互いに離間対向する１対の対向鉛直板部93と、この各対向鉛直板部93の後端部から外方に向かって突出する取付板部94とを有し、この取付板部94が柱下地材83の鉛直板部86に固定的に取り付けられている。また、シーリング受け板部92は、外側壁用サイディング部材36を構成する互いに左右に隣接したサイディング材66の各隣接端部間に配設されており、それら両隣接端部間に充填されたシーリング材95がそのシーリング受け板部92によって支持されている。
【００４９】
なお、図１０に示されるように、床体４のコーナー部（角部）に位置したコーナー柱である柱体５に取り付けられたコーナー柱用の柱下地材83は、前記図９等に示された中間柱用の柱下地材83とは形状が異なっている。
【００５０】
すなわち、コーナー柱用の柱下地材83の鉛直板部86はその幅方向中央部で直角に折り曲げられ、この断面く字状の鉛直板部86の幅方向一端部から一方の対向鉛直板部87が後方に向かって突出し、この一方の対向鉛直板部87の先端部に設けられた突出板部88が固定部材84によって柱部材21の上側柱部21aの前板部に固定的に取り付けられている。また、鉛直板部86の幅方向他端部から他方の対向鉛直板部87が側方に向かって突出し、この他方の対向鉛直板部87の先端部に設けられた突出板部88が固定部材84によって柱部材21の上側柱部21aの側板部に固定的に取り付けられている。
【００５１】
また、コーナー柱用の柱下地材83の鉛直板部86には、床体４のコーナー部（角部）に位置する断面く字状のサイディング材66がスペーサ63を介してドリルねじ等の固定部材64によって固定的に取り付けられている。この断面く字状のサイディング材66とこれに隣接するサイディング材66との間に充填されたシーリング材95は、シーリング受け部材91のシーリング受け板部92によって支持されている。
【００５２】
なお、図１０から明らかなように、コーナー柱である柱体５に取り付けられたコーナー柱用の縦長下地材33は、前記図９等に示された中間柱用の縦長下地材33とは形状が異なっている。つまり、コーナー柱用の縦長下地材33の対向鉛直板部57が中間柱用の縦長下地材33の対向鉛直板部57よりも幅広状に形成されている。
【００５３】
次に、建物付設物１の作用等を説明する。
【００５４】
例えば上横長下地材31、下横長下地材32、縦長下地材33および柱下地材83等の取付完了後、サイディング業者がサイディング部材36，37，38を取り付ける場合、そのサイディング業者は、外側壁用サイディング部材36の位置調整のための追加縦長下地材を施工現場で用意する必要がなく、スペーサ63，73、サイディング保持部材68，78およびシーリング受け部材91を使用してサイディング部材36，37，38を適正位置に取り付ける。また、そのサイディング業者は、柱体５の柱部材21の上側柱部21aに取り付ける追加柱下地材を施工現場で用意する必要もない。
【００５５】
したがって、このような建物付設物１によれば、柱体５のサイディング仕様に応じて柱体５の上側の幅寸法を大きくするための追加柱下地材を施工現場で用意する必要がなく、予め工場で生産した柱下地材83をサイディング業者が使用することにより、効率良く施工でき、よって施工性の向上を図ることができる。
【００５６】
また、柱体５は柱下地材83を柱部材21の上側柱部21aに固定的に取り付けるための固定部材84を有し、柱下地材83はその固定部材84を通すための通し孔部90を有するため、例えば施工現場で柱下地材83に固定部材84を通すための孔を形成する必要がなく、より一層効率良く施工できる。
【００５７】
さらに、従来とは異なり追加縦長下地材を使用して外側壁用サイディング部材36の位置を調整する必要がないため、サイディング業者がサイディング部材36，37，38の取付作業に手間取ることがなく、より一層効率良く施工できる。
【００５８】
また、外側壁用サイディング部材36の上下端部を縦長下地材33の上下のサイディング取付用凸部61に取り付け、横長下地材31，32の一部を縦長下地材33の上下の横長下地材挿入用凹部62に挿入することにより、外側壁用サイディング部材36および横長下地材31，32を容易に取り付けることができ、より一層効率良く施工できる。
【００５９】
さらに、ドリルねじ等の固定部材64を用いることによって、外側壁用サイディング部材36の端部をサイディング取付用凸部61に容易かつ適切に固定できる。
【００６０】
なお、上記実施の形態では、外側壁用サイディング部材36が、中間柱である柱体５の柱部材21の上側柱部21aに取り付けられた柱下地材83によってシーリング受け部材91およびシーリング材95を介して支持された構成について説明したが（図９参照）、例えば図１１に示すように、外側壁用サイディング部材36が柱下地材83にスペーサ63を介して固定部材64によって固定的に取り付けられることにより、外側壁用サイディング部材36が柱下地材83によってスペーサ63および固定部材64を介して支持された構成等でもよい。
【００６１】
また、例えば図９に示す構成において、サイディング材66の側端部を柱下地材83にスペーサ63を介して固定部材64によって固定的に取り付けるようにしてもよい。
【００６２】
また一方、建物付設物１は、例えば階段体７を有しないバルコニーやベランダ等でもよい。
【００６３】
また、外側壁用サイディング部材36は、上下方向や水平方向に並ぶ複数枚のサイディング材66からなるものには限定されず、例えば１枚板状のもの等でもよい。
【００６４】
さらに、例えばスペーサ63、サイディング保持部材68およびシーリング受け部材91を使用せず、外側壁用サイディング部材36を縦長下地材33および柱下地材83に直接固定するようにしてもよい。なおこの場合には空気層65が形成されないこととなる。
【００６５】
また、上板サイディング部材38と縦長下地材33の上端との間に空気層70が形成されない構成でもよく、例えば上横長下地材31の水平板部46まで横長下地材挿入用凹部62に挿入して上板サイディング部材38の下面が縦長下地材33の上端面に当接するようにしてもよい。
【００６６】
さらに、サイディング部材22，36，37，38は、例えばセメント系、セラミック系および金属系等の種類は問わない。また、サイディング下地材31，32，33の材質は例えば鉄やアルミ等の金属材料が好ましい。
【符号の説明】
【００６７】
１    建物付設物
４    床体
５    柱体
６    壁体
21    柱部材
21a   上側柱部
21b   下側柱部
22    柱用サイディング部材
31    横長下地材である上横長下地材
32    横長下地材である下横長下地材
33    縦長下地材
36    壁用サイディング部材である外側壁用サイディング部材
38 上板サイディング部材
46 水平板部
63 スペーサ
66 サイディング材
83    柱下地材
84    固定部材
86 鉛直板部
88 突出板部
90    通し孔部
91 シーリング受け部材
95 シーリング材
【図１】
0005951285.tif 000002
【図２】
0005951285.tif 000003
【図３】
0005951285.tif 000004
【図４】
0005951285.tif 000005
【図５】
0005951285.tif 000006
【図６】
0005951285.tif 000007
【図７】
0005951285.tif 000008
【図８】
0005951285.tif 000009
【図９】
0005951285.tif 000010
【図１０】
0005951285.tif 000011
【図１１】
0005951285.tif 000012